(57)【要約】【課題】  本考案は、足裏用アーチ形成パッドに係り、さらに詳しくは足裏の適正位置に直接貼設して、かつ中足骨、楔状骨、立方骨などを常時上方に持ち上げるような圧力をかけられるようにした足裏用アーチ形成パッドを提供せんとするものである。【解決手段】  弾力樹脂製の平板状パッド体の片面に、３〜１３ミリの間隔を存して二箇所の凸隆部を形成し、この凸隆部を形成した面の反対面に位置する足裏貼着面に、シリコン接着剤を塗布したことを特徴とする。さらに、平板状パッド体の平面形状をハート形にしたこと、平板状パッド体の中央付近を膨隆状に形成し、平板状パッド体の周縁に向かって厚さ寸法が徐々に薄くなるように形成したことを特徴とする。【選択図】  図１
0003136586.tif 000002
【実用新案登録請求の範囲】
【請求項１】
弾力樹脂製の平板状パッド体の片面に、３〜１３ミリの間隔を存して二箇所の凸隆部を形成し、この凸隆部を形成した面の反対面に位置する足裏貼着面に、シリコン接着剤を塗布したことを特徴とする足裏用アーチ形成パッド。
【請求項２】
平板状パッド体の平面形状をハート形にしたことを特徴とする請求項１記載の足裏用アーチ形成パッド。
【請求項３】
平板状パッド体の中央付近を膨隆状に形成し、平板状パッド体の周縁に向かって厚さ寸法が徐々に薄くなるように形成したことを特徴とする請求項１又は２記載の足裏用アーチ形成パッド。
【考案の詳細な説明】
【技術分野】
【０００１】
本考案は、足裏用アーチ形成パッドに係り、さらに詳しくは足の靭帯が弛み、開張足になることなどで足裏の縦方向と横方向のアーチが喪失し、これにより足指、足裏に痛みが発生したりするが、その痛み発生の原因を解消させる目的で提供される足裏用アーチ形成パッドに関するものである。
【背景技術】
【０００２】
一般的に足裏には、足裏の横足弓(横方向のアーチ)と、足裏の内側及び外側の縦足弓(縦方向のアーチ)と称されるアーチが存在し、このアーチの存在により足裏にかかる体重負担の不均衡を改善している。
したがって、このアーチが何らかの理由で喪失したり崩れたりすると、足指や足裏が痛んだり、非常に疲れやすくなる。それを放置しておくと歩行時の足裏における体重移動が正常に行えなくなり、外反母趾、内反小趾、ハンマートウ、中足骨骨頭部痛、偏平足などの足障害が起き、さらには膝への負担が増えるとＯ脚になったりなどの二次的障害を発症することもあった。
【０００３】
この様なアーチ喪失の対策としては、緩やかな凸状を呈するアーチパッドを靴の中敷に貼設する形態のパッドなどが提案されている(特許文献１及び２)。
【０００４】
【特許文献１】特開平１１−２２６０４２号公報
【特許文献２】特開２００３−８８４０５号公報
【考案の開示】
【考案が解決しようとする課題】
【０００５】
上記特許文献１及び２に記載された足裏用アーチ形成パッドは、いずれも足裏に直接貼るタイプではなく、足裏の対接面たる靴の底又は中敷に貼設するものであったため、どうしても足裏へのフィット性が不十分であった。特に朝夕の足のむくみによる足の形状の変化に対応できず、パッドの位置がずれることがあり、ずれたパッドの圧迫感で無用の痛みを覚えるという問題点があった。
【０００６】
さらに従来のパッドは単に全体が膨隆状を呈するだけの構造であったため、足裏の凹み部にパッドの全面が均一接触圧で当接することになるが、これでは足のアーチ形成に重要な中足骨、楔状骨、立方骨などをパッドの細かな凸部で押圧して、各骨を本来あるべき適正位置へ戻すための修正圧をかけることができないという問題点もあった。
【０００７】
本考案は、上記の問題点を解消して、足裏の適正位置に直接貼設して、かつ中足骨、楔状骨、立方骨などを常時上方に持ち上げるような圧力をかけられるようにした足裏用アーチ形成パッドを提供せんとするものである。
【課題を解決するための手段】
【０００８】
上記目的を達成するために、請求項１記載の考案は、弾力樹脂製の平板状パッド体の片面に、３〜１３ミリの間隔を存して二箇所の凸隆部を形成し、この凸隆部を形成した面の反対面に位置する足裏貼着面に、シリコン接着剤を塗布したことを特徴とする足裏用アーチ形成パッドである。
【０００９】
請求項２記載の考案は、平板状パッド体の平面形状をハート形にしたことを特徴とする請求項１記載の足裏用アーチ形成パッドである。
【００１０】
請求項３記載の考案は、平板状パッド体の中央付近を膨隆状に形成し、平板状パッド体の周縁に向かって厚さ寸法が徐々に薄くなるように形成したことを特徴とする請求項１又は２記載の足裏用アーチ形成パッドである。
【考案の効果】
【００１１】
以上述べたように、請求項１の足裏用アーチ形成パッドによれば、平板状パッド体の凸隆部を足アーチの形成に重要な中足骨、楔状骨、立方骨などに当接するように平板状パッド体の足裏貼設面の反対面に形成し、シリコン接着剤を利用して平板状パッド体を足裏に貼設して、足裏に体重がかかったような場合に、前記凸隆部が平板状パッド体を介して各骨を上方に押し込み、これによりアーチが自然に形成できるという効果が達成できる。
【００１２】
さらにシリコン接着剤の存在により、平板状パッド体を足裏の適正位置に確実に貼設できるので、むくみなどで足裏の形状が変化した場合であっても、凸隆部は、平板状パッド体を介して上記各骨を常時上方に押し込むことができ、アーチ形成効果がより一層確実に発揮できる。
また平板状パッド体は弾力樹脂製になっているので、足裏にかかる衝撃力の分散、吸収を確実に行える効果もある。
【００１３】
また請求項２及び３の足裏用アーチ形成パッドによれば、全体の意匠的美観が向上し、かつ取り扱い易いという効果も発揮できる。
【考案を実施するための最良の形態】
【００１４】
以下添付図面に基づいて、本考案に係る足裏用アーチ形成パッドの実施例を詳説する。
図１は本考案の足裏用アーチ形成パッドの正面図、図２は同側面図、図３は同斜視図である。
【００１５】
本考案の足裏用アーチ形成パッドは、図１乃至図３に示すように、平板状パッド体１が好みの形態からなる薄板状を呈しており、特に好ましくはハート形を呈する形態にしておくと、使用者の好感が得られ易く、美観の向上に寄与できるという効果がある。
またその材質は、エラストマーのような弾力樹脂製であることから、手触り肌触りの感覚に優れ、適度の弾力により足裏にかかる衝撃の吸収にも効果的である。
【００１６】
ついで、この平板状パッド体１の足裏貼着面の反対面には凸隆部２ａ，２ｂが二箇所に形成され、その凸隆部間の寸法Ｌは３〜１３ミリ程度に形成してある。
この凸隆部２ａ，２ｂの高さは、ほぼ平板状パッド体１の高さ寸法と同程度に形成されているが、その高さは使用者の好みで自由に変更しても良いことはもちろんである。
【００１７】
この凸隆部２ａ，２ｂは、足アーチの形成に重要な中足骨、楔状骨、立方骨などに平板状パッド体を介して当接するように、平板状パッド体１が足裏に貼着されるので、足裏に体重がかかったような場合に、前記凸隆部２ａ，２ｂが平板状パッド体を介して各骨を上方に押し込み、これによりアーチが自然に形成できるようになる。ここで平板状パッド体を介して、凸隆部２ａ，２ｂが各骨を上方に押し込むということは、凸隆部２ａ，２ｂの先端の形状を直接足裏に当てないため、緩やかな押圧力で広い面圧力をかけることができることを意味する。
この凸隆部２ａ，２ｂ間の寸法Ｌは、個人差にもよるが３〜１３ミリ程度の間隔を確保してあれば十分対応可能である。
【００１８】
平板状パッド体１の足裏貼着面には、シリコン接着剤３が塗布されているため、平板状パッド体１は確実に足裏の目的の位置に貼着でき、その貼着状態は安定的に保持されることとなる。
【００１９】
本考案の平板状パッド体１の全体形状は、図１乃至図３に示したように全体が均一な平板状を呈する(平板状パッド体１の上部を厚くし、下部を徐々に薄くすることもある)ものであるが、その他の実施例として図４及び図５に示すごとく、平板状パッド体１の中央付近を膨隆状に形成し、平板状パッド体１の周縁に向かって徐々に厚さ寸法が薄くなるように形成することも可能である。
【００２０】
次に実際の使用方法を図７に従って説明すると、符号４は足裏を示し、５は土踏まず、６はかかとであり、足裏に貼着された足裏用アーチ形成パッド１１，２１，３１は好みの大きさのものを自由に選択使用することができ、符号１１の足裏用アーチ形成パッドは外反母趾用のもので、２１は内反母趾用のもので、３１はすべての症例に共通して使用されるものである。
【産業上の利用可能性】
【００２１】
本考案に係る足裏用アーチ形成パッドは、特に足裏に違和感を感ずるすべての人々に利用でき、スポーツの分野やリフレクソロジーの分野においても利用可能である。
【図面の簡単な説明】
【００２２】
【図１】本考案の足裏用アーチ形成パッドの正面図である。
【図２】同側面図である。
【図３】同斜視図である。
【図４】本考案の足裏用アーチ形成パッドの他の実施例の底面図である。
【図５】同側面図である。
【図６】図１における、Ａ−Ａ線断面図である。
【図７】実際の使用例を示す説明図である。
【符号の説明】
【００２３】
１…平板状パッド体
２ａ，２ｂ…凸隆部
３…シリコン接着剤
Ｌ…凸隆部間の寸法
４…足裏
５…土踏まず
６…かかと
１１，２１，３１…足裏用アーチ形成パッド
【図１】
0003136586.tif 000003
【図２】
0003136586.tif 000004
【図３】
0003136586.tif 000005
【図４】
0003136586.tif 000006
【図５】
0003136586.tif 000007
【図６】
0003136586.tif 000008
【図７】
0003136586.tif 000009